(57)【要約】【課題】ＩＤコード等のデータを時間的な制約、データ量の制約を受けず、複雑な信号処理、変調方法を必要とせずに画像信号に付加し、ＩＤコード等のデータによる受信の制御を可能とし、混信の少ない画像送受信装置を提供する【解決手段】画像を送受信する装置において、データを画像信号で使用していない周波数帯域でＦＳＫ変調し、ＦＳＫ変調されたデータを画像信号に加えデータと画像の多重信号とし、該多重信号を送受信する画像送受信装置とする。【選択図】      図１
2004201155.tif 000002
【特許請求の範囲】
【請求項１】
画像を送受信する装置において、データを画像信号で使用していない周波数帯域でＦＳＫ変調し、ＦＳＫ変調されたデータを画像信号に加えデータと画像の多重信号とし、該多重信号を送受信する事を特徴とする画像送受信装置。
【請求項２】
画像を送受信する装置において、データを画像信号で使用していない周波数帯域でＦＳＫ変調し、ＦＳＫ変調されたデータを画像信号に加えデータと画像の多重信号とし、該多重信号を送信し、受信した該多重信号をＦＳＫ復調しデータを得、得られたデータにより、画像信号を制御する事を特徴とする画像送受信装置。
【請求項３】
データが送受信間で固有のデータである事を特徴とする請求項１又は請求項２記載の画像送受信装置。
【発明の詳細な説明】
【０００１】
【発明の属する技術分野】
本発明は、画像送受信装置に関するものである。
【０００２】
【従来の技術】
画像を無線等を用いて送受信する装置では、画像信号を何らかの方式で変調を施し送信を行い、受信した信号を復調を行い画像信号に戻し、画像の送受信が完了する。
【０００３】
無線等を使用する場合、不特定多数の装置が送信可能であり、不特定多数の装置が受信可能であるため混信がおこり得る。混信状態では、目的としない画像信号を受信してしまう可能性があり、誤動作の可能性もある。さらに、機密性の高い画像信号を取り扱う場合、第三者が送信された画像信号を受信する事も可能であり、機密性を保つのが難しくなる。
【０００４】
従って、混信を防止する事が必要となる。混信を防止する方法として、送受信間で固有のデータ、すなわちＩＤコードを画像信号に付加して送信し、受信側では受信した信号からＩＤコードを分離し、固有のＩＤコードが得られなければ画像信号を出力しない方法が一般的に知られている。ＩＤコードを用い受信を制御する方法として、特開平９−１６３３５５、特開平１０−１４５６３７が開示されている。
【発明が解決しようとする課題】
【０００５】
画像信号にＩＤコード等のデータを付加する場合、画像信号のデータ量の多さ、時間的に連続したアナログ信号である、といった理由からデータを付加する方法が複雑となる。送信側は、画像信号をデジタル化し、さらに時間的に圧縮しＩＤコード等のデータを付加できる時間的余裕を作り、ＩＤコード等のデータを付加する事となる。受信側は、受信した信号を時間的に切り分け、ＩＤコード等のデータと画像信号とを分離しなければならない。さらに受信した画像信号は、時間的に伸張し時間的に連続したアナログ信号に戻さなければならない。
【０００６】
また、上記のような画像信号を時間的に圧縮、伸張しＩＤコード等のデータを付加する方法では、圧縮、伸張の方法によりＩＤコード等のデータを付加する時間的な位置が制約されるし、画像信号を時間的に圧縮、伸張の度合いにより、ＩＤコード等のデータ量も制限される。ＩＤコード等のデータ量を多くするためには、画像信号の圧縮、伸張方法、あるいは変調方法をより複雑な方法にしなければならなくなる。
【０００７】
ＩＤコード等のデータを付加する方法として、画像信号中の画像にかかわらない部分、いわゆる垂直ブランキング期間に、ＩＤコード等のデータを付加する方法が考えられるが、近年、垂直ブランキング期間には文字放送用のデータ、複製防止用データ等が付加されている場合もあり、文字放送用のデータ、複製防止用データ等が失われてしまう可能性がある。
【０００８】
さらに、上記のような垂直ブランキング期間にＩＤコード等のデータを付加する方法でも、時間的な制約、データ量の制約を受ける。
【０００９】
本発明は、上記問題点を鑑み、ＩＤコード等のデータを時間的な制約、データ量の制約を受けず、複雑な信号処理、変調方法を必要とせずに画像信号に付加し、ＩＤコード等のデータによる受信の制御を可能とし、混信の少ない画像送受信装置を提供する事を目的としている。
【課題を解決するための手段】
【００１０】
画像を送受信する装置において、データを画像信号で使用していない周波数帯域でＦＳＫ変調し、ＦＳＫ変調されたデータを画像信号に加えデータと画像の多重信号とし、該多重信号を送受信する事を特徴とする画像送受信装置とする。
【００１１】
画像を送受信する装置において、データを画像信号で使用していない周波数帯域でＦＳＫ変調し、ＦＳＫ変調されたデータを画像信号に加えデータと画像の多重信号とし、該多重信号を送信し、受信した該多重信号をＦＳＫ復調しデータを得、得られたデータにより、画像信号を制御する事を特徴とする画像送受信装置とする。
【００１２】
画像を送受信する装置において、送受信間で固有のデータを画像信号で使用していない周波数帯域でＦＳＫ変調し、ＦＳＫ変調された送受信間で固有のデータを画像信号に加え送受信間で固有のデータと画像の多重信号とし、該多重信号を送受信する事を特徴とする画像送受信装置とする。
【００１３】
画像を送受信する装置において、送受信間で固有のデータを画像信号で使用していない周波数帯域でＦＳＫ変調し、ＦＳＫ変調された送受信間で固有のデータを画像信号に加え送受信間で固有のデータと画像の多重信号とし、該多重信号を送信し、受信した該多重信号をＦＳＫ復調し送受信間で固有のデータを得、得られた送受信間で固有のデータにより、画像信号を制御する事を特徴とする画像送受信装置とする。
【００１４】
【発明の実施の形態】
図１は本発明の第一実施形態である画像送受信装置の送信側のブロック図である。画像信号入力１１、低域通過フィルタ１２、加算部１３、ＩＤコード記憶部１４、ＦＳＫ変調部１５、多重信号出力１６から構成されている。
【００１５】
図２は本発明の第一実施形態である画像送受信装置の受信側のブロック図である。多重信号入力２１、低域通過フィルタ２２、ＳＷ部２３、帯域通過フィルタ２４、ＦＳＫ復調部２５、ＩＤコード記憶部２６、制御部２７、画像信号出力２８から構成されている。
【００１６】
図３は本発明の第一実施形態である画像送受信装置の多重信号の周波数スペクトルを示すグラフである。横軸は周波数ｆ、縦軸は電圧Ｖを示している。
【００１７】
以下、図1、２および図３を用い本発明を説明する。第一実施形態での画像信号の方式はＮＴＳＣ方式である。
【００１８】
まず送信側を説明する。送信しようとする画像信号は送信側の画像信号入力１１より入力され、低域通過フィルタ１２を経由して加算部１３に入力される。低域通過フィルタ１２は送信しようとする画像信号にあわせ特性が決められている。本発明の第一実施形態での画像信号の方式はＮＴＳＣ方式のため、低域通過フィルタの遮断周波数は４．２ＭＨｚになっている。
【００１９】
一方、送信側には送受信間固有のデータであるＩＤコードを記憶しているＩＤコード記憶部１４があり、ＩＤコード記憶部１４よりＩＤコードを出力する。ＩＤコードは送信しようとする画像信号とは無関係に、ＩＤコード記憶部１４から一定時間間隔で出力されている。
【００２０】
ＩＤコード記憶部１４より出力されたＩＤコードはＦＳＫ変調部１５に入力され、ＦＳＫ変調される。ＦＳＫ変調は送信しようとする画像信号の使用していない周波数帯域で行う。本発明の第一実施形態での画像信号の方式はＮＴＳＣ方式のため、ＩＤコードは５．５ＭＨｚ±１００ＫＨｚでＦＳＫ変調されている。
【００２１】
ＦＳＫ変調されたＩＤコードは加算部１３に入力され、画像信号と多重化され、多重信号出力１６より出力される。
【００２２】
多重信号出力１６より出力された多重信号の周波数スペクトルは図３のようになる。図３からわかるように送信しようとする画像信号エリア３１とＩＤコードＦＳＫ信号エリア３２は完全に周波数的に分割されている。
【００２３】
多重信号出力１６より出力された多重信号は、その後所定の信号処理及び変調し送信される。ここで、一般的には送信しようとする画像信号のデータ量に比べＩＤコードのデータ量は少ないため、画像信号を扱う信号処理及び変調だけでＩＤコードも一緒に信号処理及び変調し送信する事が可能である。
【００２４】
次に受信側を説明する。受信された信号は所定の復調及び信号処理をし多重信号に戻される。ここで前記と同様、一般的には受信しようとする画像信号のデータ量に比べＩＤコードのデータ量は少ないため、画像信号を扱う復調及び信号処理だけでＩＤコードも一緒に受信し変調及び信号処理する事が可能である。
【００２５】
受信し変調及び信号処理された多重信号は、多重信号入力２１に入力され、低域通過フィルタ２２と帯域通過フィルタ２４に入力される。  
【００２６】
低域通過フィルタ２２は送信側の低域通過フィルタ１２と同じ特性、本発明の第一実施形態では遮断周波数は４．２ＭＨｚにされており、多重信号の中の画像信号に相当する周波数帯域の信号のみを取り出しＳＷ部２３に入力される。多重化信号の周波数スペクトルは図３に示す通り画像信号エリア３１とＩＤコードＦＳＫ信号エリア３２が完全に周波数的に分割されているため、受信した信号が目的とする画像信号であれば、容易に画像信号のみを取り出す事が可能である。
【００２７】
帯域通過フィルタ２４は、送信側のＦＳＫ変調部１５の周波数特性、本発明の第一実施形態では５．５ＭＨｚ±１００ＫＨｚにあわせた特性にしてあり、ＦＳＫ変調信号に相当する周波数帯域の信号のみを取り出し、ＦＳＫ復調部２５に入力される。ここで前記と同様、多重化信号の周波数スペクトルは図３に示す通り画像信号エリア３１とＩＤコードＦＳＫ信号エリア３２が完全に周波数的に分割されているため、受信した信号が目的とするIＤコードを含むＦＳＫ変調信号であれば、容易にＦＳＫ変調されているＩＤコードのみを取り出す事が可能である。
【００２８】
ＦＳＫ復調部２５では、入力された信号をＦＳＫ復調し制御部２７に入力する。
【００２９】
一方、受信側にも送受信間固有のデータであるＩＤコードを記憶しているＩＤコード記憶部２６があり、必要に応じ制御部２７に出力する。
【００３０】
制御部２７では、ＦＳＫ復調部２５からのデータと、ＩＤコード記憶部２６から入力された送受信間固有のデータであるＩＤコードとを比較し、ＳＷ部２３を制御する。すなわちＦＳＫ復調部２５からのデータが、ＩＤコード記憶部２６から入力された送受信間固有のデータであるＩＤコードと同じであれば、目的である画像信号が受信されたとし、ＳＷ部２３を制御し画像信号出力２８への出力を可能にする。逆に、ＦＳＫ復調部２５からのデータが無い、もしくはＦＳＫ復調部２５からのデータとＩＤコード記憶部２６から入力された送受信間固有のデータであるＩＤコードが同じで無ければ、目的である画像信号が受信されていないとし、ＳＷ部２３を制御し画像信号出力２８への出力を不可能にする。
【００３１】
ＦＳＫ復調部２５からのデータと、ＩＤコード記憶部２６から入力された送受信間固有のデータであるＩＤコードとの比較は画像信号とは無関係に、一定間隔もしくはＦＳＫ復調部２５からのデータが入力された時点で行う。
【００３２】
これにより、ＩＤコードのデータは画像信号とは無関係に処理が可能となり、時間的な制約を受けずにＩＤコードのデータを画像信号に付加する事が可能となる。この事は、より細かいＩＤコードのデータによる受信の制御を可能とし、より細かい混信防止の制御が可能な画像送受信装置を提供する事が可能となる事を意味する。
【００３３】
また、前記と同様に、ＩＤコードのデータは画像信号とは無関係に処理が可能となり、データ量の制約を受けずにＩＤコードのデータを画像信号に付加する事が可能となる。この事は、より多数の送受信機に対しＩＤコードのデータによる受信の制御を可能とし、より多数の送受信機に対し混信防止の制御が可能な画像送受信装置を提供する事が可能となる事を意味する。
【００３４】
さらに、ＩＤコードのデータには送受信間固有のデータ以外のデータも付け加える事が可能であり、時間的な制約も無いため、送信側から受信側に画像信号を制御する他のデータを時間を問わず送る事が可能となる。
【００３５】
本実施例では画像信号の方式をＮＴＳＣ方式としたが、他のさらに画像信号方式でも実施可能であり、各フィルタ特性、ＦＳＫ変復調周波数を変えるだけで容易に実現できる。
【００３６】
【発明の効果】
本発明によれば、複雑な方法を必要としない、ＩＤコード等のデータによる混信防止機能のある画像送受信装置が容易に実現できる。
【００３７】
ＩＤコード等のデータの送受信に時間的制約が無いため、より細かい混信防止機能が実現可能となる。
【００３８】
ＩＤコード等のデータの送受信にデータ量の制約が無いため、より多数の送受信機に対する混信防止機能が実現可能となる。
【００３９】
画像信号の処理方法、変調方法を複雑にする事なく実現可能となる。
【００４０】
様々なデータが送受信可能となり、様々なデータによる画像信号の制御が可能となりシステムの自由度が増す。
【図面の簡単な説明】
【図１】本発明の第一実施形態である画像送受信装置の送信側のブロック図。
【図２】本発明の第一実施形態である画像送受信装置の受信側のブロック図。
【図３】本発明の第一実施形態である画像送受信装置の多重信号の周波数スペクトルを示すグラフ。
【符号の説明】
１１    画像信号入力
１２    低域通過フィルタ
１３    加算部
１４    ＩＤコード記憶部
１５    ＦＳＫ変調部
１６    多重信号出力
２１    多重信号入力
２２    低域通過フィルタ
２３    ＳＷ部
２４    帯域通過フィルタ
２５    ＦＳＫ復調部
２６    ＩＤコード記憶部
２７    制御部
２８    画像信号出力
３１    画像信号エリア
３２    ＩＤコードＦＳＫ信号エリア
【図１】
2004201155.tif 000003
【図２】
2004201155.tif 000004
【図３】
2004201155.tif 000005